(57)【特許請求の範囲】
【請求項１】
マーカーをその内に収納して収納時には全体として手で扱う筆記用具として使用可能な細長の外形を有し、非使用時には該マーカーのペン先を密封空間に置くことができ、該空間を囲む構造の一部を外力のない状態では自ずと閉じる傾向にある開閉ふたを具備したペン先出入口を設けた隔壁とし、使用時には長さ方向に加えた外力によりマーカーを並進移動させると共に該開閉ふたを押し開きペン先を該ペン先出入口を通過させて外部に押し出すことの可能なホルダーに係る器具で、一部が該ペン先出入口に挿入可能でかつその内側にペン先をくぐり抜けさせることのできる中空構造でホルダー内を長さ方向に並進移動可能な中押筒を、マーカーと隔壁の間にマーカーとの間に強力なバネを介して配置する事を特徴とするマーカーホルダー。
【請求項２】
マーカーをその内に収納して収納時には全体として手で扱う筆記用具として使用可能な細長の外形を有し、非使用時には該マーカーのペン先を密封空間に置くことができ、該空間を囲む構造の一部を外力のない状態では自ずと閉じる傾向にある開閉ふたを具備したペン先出入口を設けた隔壁とし、使用時には長さ方向に加えた外力によりマーカーを並進移動させると共に該開閉ふたを押し開きペン先を該ペン先出入口を通過させて外部に押し出すことの可能なホルダーに係る器具で、該開閉ふたの裏面に該ふたの開閉の妨げにならない裏面突起を設け、ペン先のすぐ後方側部にペン先がペン先出入口を通過する妨げとならない側部突起を設けたマーカーを収納したときに、該側部突起に相応して、マーカーの並進に伴い該側部突起と該裏面突起が接触して該開閉ふたの開閉を妨げることなくこの接触を持続保持させることができ、もって開閉ふたを押し開くと共にペン先を外部に押し出すことを特徴とするマーカーホルダー。
【請求項３】
マーカーをその内に収納して収納時には全体として手で扱う筆記用具として使用可能な細長の外形を有するホルダーに係り、片手で操作可能でかつ該マーカーのペン先に触れることなく回転可能な回転キャップを有するとともに、非使用時には該回転キャップを該ペン先に被せてこれを密封状態に置き、使用時には該回転キャップの部位のすべてをペン先より後方に位置させ、かつ非使用時及び使用時の両位置で固定可能な構造を有する器具で、該回転キャップの回転と連動する弾性体を設け、該回転キャップが閉じた非使用時たる状態及び該回転キャップが開き切った使用時たる状態においては該弾性体の緊張が緩和されて安定した状態となり、該回転の中程の位置において該弾性体の緊張度が最大となる箇所が存在し、該回転の中間状態では使用時もしくは非使用時のいずれか一方の状態に向かって復元力が生じることを特徴とするマーカーホルダー。
【請求項４】
「請求項１」あるいは「請求項２」あるいは「請求項３」に係る器具で、「請求項１」及び「請求項２」においては開閉ふたの、「請求項３」においては回転キャップの、それぞれの密封状態の位置の接合面に磁性ゴムを使用することを特徴とするマーカーホルダー。
【請求項５】
「請求項１」あるいは「請求項２」あるいは「請求項３」あるいは「請求項４」に係るマーカーホルダーにマーカーを取り付け、分離することなく共々一体として独立した器具としたる筆記具。
【発明の詳細な説明】
【０００１】
【産業上の利用分野】
本発明は、文房具、事務用品たる筆記用具に関する。そのうちでもインクを使用し、インク溜より繊維束あるいは多孔性樹脂の毛管現象によりインクを導出し、該繊維束等の先端を成型加工して筆記尖端たるペン先として使用する筆記用具に関する。この種の器具には同じ構造、原理の物であってもメーカー、用途等により、マーカー、マジックインキ、フェルトペン、サインペン等の複数の名称が慣用されている。本明細書ではこれらを一括しマーカーとして引用する。毛筆あるいはこれに類するものであっても、筆記尖端となる毛先に墨またはインクを供給する溜を具備しかつ該毛先に相当する部分の大きさが上記各筆記具と同程度の器具の場合にはこれもマーカーに属するものとする。
【０００２】
【従来の技術】
マーカーには油性インクのものと水性インクのものがあるが、一般にインクは揮発性で、万年筆と同様ペン先を露出して放置すると、そこからインクが蒸発し乾いてしまうので、これを防止するために非使用時にはペン先にキャップを被せこれを外気から遮断して密封状態に置くことを必要とする。図１にマーカーの１例の、キャップを外した状態で水平に寝かせた位置における外観図を示す。左側が立面図、右側がこれをペン先側より見た側面図である。図２は図１のマーカーの中心軸を含む面における断面図であるが、本発明の課題はマーカーの内部構造に拘わるものではないので、外形を表す輪郭線のみ記載する。図中マーカーキャップは点線で示す。製品によって、マーカーキャップはマーカー胴部１４に被さる大形のもの１５と、ペン先１１だけを覆う小形のもの１６がある。マーカーは製品により大きさ、形状に差異が生じるが本明細書では図１及び図２に示す形状のものをマーカーの基本形として表示し、断面図においても後述するマーカー自身が請求項の対象となる１例を除いて平行斜線を引かずに輪郭線のみを記載する。また以下器具に関してマーカーのペン先の向く方向を前方、反対側を後方と称することにする。
【０００３】
【発明が解決しようとする課題】
マーカーの使用に際しての、キャップの着脱はかなり面倒なものである。その最も大きな理由は着脱に両手を要することである。特にホワイトボードに使用するときに支障が大きい。他の筆記用具でも使用時と非使用時の用具の状態の切り替えの簡便化が課題となっているが、多くは解決法が見出だされており、ボールペン、シャープペンではノック式の機構により片手でワンタッチでペン先あるいは芯の出し入れが可能になっているものが普及している。万年筆でも片手で操作可能なノック式のものが市販されているが（パイロット社製）、これに関しては器具の性質上両手でキャップを着脱する煩わしさが強く意識されていないせいかあまり普及してはいない。
本発明はマーカーのキャップの着脱の煩わしさを解消すべく、使用時と非使用時の切り替えを片手の動作で可能にする新規の方式を呈示するものである。
【０００４】
【課題を解決するための手段】
本発明ではマーカーをその中に収納することができるマーカーホルダーを構成し、そのホルダーにキャップの着脱に相当する機能を設ける。収納はマーカー全体がホルダーの中に入ってしまう場合のみを意味するではなく一部のみの場合もある。市販されてるマーカーのほとんど総てはインクが切れたら使捨てにするので、マーカー本体に新たな構造上の造作を付加するとコストの上で製品として不利であると判断されるからである。しかしながら、本発明はこのホルダーを主たる対象とするものであるが、ホルダーないしはこれと同一の機能をマーカーに具備して一体となし独立した製品としても、機能面では同一の効果を期待できホルダーの型式によっては廉価に製作できるものもあるので、特許請求の範囲の欄における請求項の中に該機能を具備したマーカーそのものを対象とする項目も設ける。
そもそもキャップの着脱が面倒なのは、その動作がキャップのマーカー本体に対する並進移動に困っており、着脱の都度キャップがマーカーから離れるためである。そこで本発明ではキャップあるいはこれに相当するものの動きを回転移動に代える。その結果、キャップはペン先から外された状態であってもマーカー本体から離脱させる必要がなく、次にペン先に再び被せるときの操作が簡素化できる。更にこのキャップの着脱に伴う移動を行うための外力即ち片手で器具に加える力を、器具の長さ方向の並進方向の力に因るか、あるいはキャップに直接回転する力を加えるかの２方式を呈示する。特許請求の範囲の欄における「請求項１」及び「請求項２」に係る器具は前者の方式に拠り、「請求項３」は後者に拠り、「請求項４」及び「請求項５」は前３項を改良あるいは補足するものである。
【０００５】
最初に並進方向の外力により非使用時と使用時の切り替えを行う方式について述べる。この種の方式として既にボールペン等の他の筆記用具に慣用されている周知のものはノック式であるが、本発明においてもこの動作機構を利用する。並進方向の外力によりペン先を器具の外に押し出して突出露出させ使用時の状態にさせるものである。
図３に、この動作機構を具現する最も簡明なノック式マーカーホルダーの構造及び作用の様態を表す断面図を示す。これは他の筆記用具の周知の機構から容易に類推されるものである。この器具自体は本発明の対象ではないが、本発明の原型となるもので、本発明はこれを改良したものである。
図３の上図は非使用時の様態を表し、先が多少細くなってホルダー先端口２１として開放されている円筒状のホルダー２にマーカー１がキャップを外した状態で収められている。器具の外観は回転体であり、図は回転体の中心軸を含む面における断面図で、図中の開閉ふた回転軸２３の方向を視方向としている。ホルダー先端口２１のすぐ後方には、その一部がペン先出入口２５として開口している隔壁を構成する隔壁基板２４がある。ペン先出入口２５には開閉ふた２２が設けられ、該ふたは開閉ふた回転軸２３の回りに回転し、ねじりバネなどが取り付けられる等して外力が加わらず放置されているときには閉じた状態にある。開閉ふたが閉じているときはマーカーのペン先１１は密封状態にある。開閉ふた２２が通常のマーカーのキャップに相当する役割を果たす。ホルダーの隔壁基盤２４より前方の部分は開閉ふた２２がむき出しになるのを防ぎ外観と筆記性能の向上に寄与してはいるが、効果は相対的であり存在しなくても一応の機能は果たせる。隔壁基板２４とマーカー１の間には主コイルバネ２６があって、上図の状態で自然長よりわずかに圧縮された状態にあり、マーカーが前方に移動すると更に圧縮される。
マーカーの後方にスライド回転子２７、溝付固定子２８、ノブ３０が一団として連なった状態にある。これらはノック式ボールペンでよく用いられる機構を構成するもので、スライド回転子の突起が溝付固定子に刻まれた長短２通りのものが交互に環状に配置されたの何本かの平行な溝を並進移動しながらノブを押すごとに隣の溝に移る構造になっており、ノブを一度押すとマーカーが前方に押し出された状態で止まり、次に押すと元の位置に戻り、以下これを繰り返す動作のためのものである。この機構を以下本明細書ではダブルノック式として引用するが、周知の機構であるので図も省略して記載してありこれ以上詳述しない。
以下図３の中図から下図にかけて、ノブ３０を押しマーカー１を左方に押し出す時の様子を示す。マーカーのペン先１１によって開閉ふた２２が押し開かれ、ペン先はペン先出入口２５を突き抜けてホルダー２の外に達し、下図の使用時の状態に至る。次にノブ３０を押すと上述のダブルノック式機構と圧縮された主コイルバネ２６の復元力との作用によって上図の状態に戻る。
【０００６】
図３の器具の動作の様態は、マーカー１をボールペンの芯に置き換え、開閉ふた２２及び隔壁基板２４を取り去ると市販されているダブルノック式のボールペンと同じである。またマーカー１をインクカートリッジを伴った万年筆用のペン先に置き換えると、市販されているノック式の万年筆と重なる。この万年筆の場合は形状もマーカーのように中心軸をもつ回転体ではなく、開閉ふたの位置も回転の様子も異なるが、開閉ふたを設けてこれをペン先で押し開く点で原理的には図３の器具と同一である。
しかしながら、図３の構造では一応曲がりなりにノック式のマーカーを可能にするが、万年筆やボールペンと異なり、マーカーのペン先は剛直ではないので、これを用いて開閉ふた２２を押し開くと、この際にかかる力によってペン先が傷み更に開閉ふたに付着したインクにより器具やペン先が汚れ筆記性能に大きな支障を来す。この事由を鑑み、本発明では図３の構造を基本とするものの、ペン先１１が開閉ふた２２に接触することなく、ノブ３０を押しマーカーを並進移動させる力によって開閉ふたを押し開き、ペン先を外に押し出す新規の方法を呈示する。
【０００７】
この方式に関して本発明では更に２方法を呈示する。特許請求の範囲における「請求項１」に係るものと「請求項２」に係るものである。まず「請求項１」に係るものについて述べる。
図４にその構造及び作用の様態を表す断面図を示す器具は、図３のものと比較して中押筒４０と補助バネ４１が設けられている点が異なっている。更に図３では主コイルバネ２６がマーカー１と隔壁基板２４の間に介在したが、図４ではマーカー１と中押筒４０の間に位置し、両者間の相対的な位置関係即ち距離によって伸縮する。主コイルバネ２６は、補助バネ４１や開閉ふた２２を閉じる力と比較して十分に強いバネ、即ち大きなバネ定数を持つバネでなければならない。補助バネ４１は隔壁基板２４と中押筒４０の間に介在している。図４では、その中図と下図において図３と同一となる部分は省略してある。同様の図の省略は本出願の図面において適宜行う。
【０００８】
中押筒４０の例を図５の見取図で示す。図５の左図は典型的な形状でじょうごあるいはろうと形をしている。径が細くなっている側の出入口挿入部４４がペン先出入口２５の中に入るようにホルダー内では設置され、径が大きい側の位置制御部４５がホルダー内におけるこの部品の位置を定め、ホルダー内を筒の長さ方向に沿って並進移動できるようにしている。また出入口挿入部４４の内径はペン先１１及びペン先支持軸１２の外径より大きくなければならない。図５の右図は左図と同一の機能を果たす別の一形状であり、「実施例」の項で再度言及する。
【０００９】
図６に「請求項２」に係るホルダーの構造及び作用の様態を表す断面図を示す。図３のものとの相異は、開閉ふた２２の裏側即ち非使用時にペン先の側に向いている面の側に裏面突起４２、またマーカー１のペン先支持軸１２に側部突起４３が設けられている点である。図中これらは断面図の切断面上にないので点線で表している。裏面突起４２は開閉ふた２２に直結しており回転の動きを共にする。裏面突起４２と側部突起４３は、マーカーの押し出しに伴い、マーカー１がある程度前進したら互いに接触を開始し、以降開閉ふた２２の回転を妨げることなく、ペン先が外部に露出した使用時の状態になるまで常に接触している状態にあるようにそれぞれの位置及び形状が定められなければならない。
【００１０】
図７に裏面突起４２を設けた開閉ふた２２、図８に側部突起４３を設けたマーカーの外観図を示す。共に左下図を立面図とした位置に対して、右図が左方から見たときの側面図、上図が平面図である。ホルダー内では２つの裏面突起４２の間にペン先１１が開閉ふた２２に接触しないように位置する関係になる。
【００１１】
次にマーカーのキャップを回転式としてこれに直接外力を加えて非使用時と使用時の切り替えをする方式について述べる。「請求項３」に係る器具である。
図９にその構造及び作用の様態を表す断面図を示す器具は、その最も簡単なもので、キャップ回転軸５１のまわりに回転する回転キャップ５０を設けたホルダーである。回転キャップはペン先１１に接触することなく回転し、非使用時の閉じた状態から最大限に回転した状態即ち回転し切った使用時の状態では、回転キャップ５０のすべての部分がペン先より後方になければならない。また回転キャップは非使用時と使用時の両状態のそれぞれの位置で固定可能でなければならない。固定の手段は問わない。図９では非使用時にキャップを固定するためにキャップを受けるキャップ中受口５２、回転キャップ５０をペン先より外した使用時に固定するためキャップ止ツメ５３が設けられている。
【００１２】
図１０に図９を更に発展させて回転制御バネ５５を設けた器具の断面図を示す。該バネはコイルバネで、バネの両端の一端は回転キャップ側に、他の一端はキャップ回転軸５１以外のホルダーの本体側に、回転キャップ５０の回転に伴い該２端の間の距離が回転の途中の段階で最も大きくなるように取り付けられている。図１１に図１０に示す器具の上図に相当する状態における外観図を示す。図７や図８と同様、左下が立面図、右図が側面図、上図が平面図である。
【００１３】
【作用】
最初に図４に示す「請求項１」に係る器具の作用の様態を示す。図３の場合と同じく非使用時の状態を示すのが上図、この状態からノブ３０を押してマーカー１を前方に押し出し、ペン先がホルダーの外に出た使用時の状態を示すのが下図、中図はその中間の状態を示す。マーカー１の前方への移動に伴い中押筒４０も前方に移動し、これに伴い補助バネ４１が縮み同時に中押筒４０の出入口挿入部４４の先端が開閉ふた２２に接触してこれを押し開く。この間、マーカー１と中押筒４０の間の主コイルバネ２６は強いバネであるので圧縮されることなく両者の距離をほぼ一定に保ったまま共に平行移動し、ペン先１１が開閉ふた２２に接触することはない。開閉ふた２２が開いた状態では中押筒４０の位置制御部４５が隔壁基板２４に接触し、これにつかえてそれ以上前方に移動できなくなる。あるいは補助バネ４１が極限まで圧縮されてそれ以上縮まなくなり中押筒４０の移動が抑止される。この状態から更にノブ３０に力を加え続けると、次に主コイルバネ２６が縮み始めてマーカー１が更に前方に移動し、ペン先１１が中押筒４０の中をくぐり抜けてホルダーの外に露出し使用時の状態になる。ノブを押し切ったところで前述のダブルノック式の機構が働き、マーカーを一時的にその位置に固定する。次に再度ノブを押すとダブルノック式の機構と主コイルバネ２６及び補助バネ４１の復元力により図４の上図の状態に戻る。
【００１４】
次に図６に示す「請求項２」に係る器具の作用の様態を示す。図６の上中下の３図の関係は図４の場合と同じである。上図の位置からノブ３０に力を加えていくと、マーカー１が前方に移動し主コイルバネ２６が圧縮されていく。図６の器具では主コイルバネの様態及び作用は図３の場合と同じである。これに伴いマーカー１に設けられた側部突起４３が開閉ふた２２の裏面突起４２に接触し、以下この接触を保ったまま力が開閉ふた２２に伝えられてこれが押し開かれ、マーカー１も前方への移動を続けて下図の状態に至る。この間ペン先は開閉ふた２２と２つの裏面突起４２の間の空間に入り込んで開閉ふた２２と直接接触することはない。裏面突起４２の突出度により適用可能なマーカーのペン先１１の大きさが決まる。作用を安定化する観点から両突起はペン先をはさんで両側に対称に２組ある場合を例示しているが、１組でも可能である。移動の過程でマーカーが器具の中心軸の回りに回転しないように各部の形状等を配慮する必要がある。図６の下図の状態でノブ３０を押すとダブルノック式の機構に基づき主コイルバネ２６の復元力により上図の状態に戻る。
【００１５】
次に図９及び図１０に示す「請求項３」に係る器具の作用の様態を示す。該両図の各における上中下の３図の関係は図４や図６の場合と同じである。これらの器具ではマーカー１はホルダー内に固定されており、非使用時と使用時の切り替えに伴い移動することはない。図４及び図６におけるホルダー先端口２１がペン先出入口２５に重なって一つになった構造に相当し、ペン先１１は常時このペン先出入口２５より突き出ており、非使用時にはこれに回転キャップ５０が被さりペン先を密封する状態になっている。キャップ上端部５４に親指をかけて力を加え他の指でホルダー２あるいはマーカー胴部１４を握って支え、回転キャップ５０を回転させてペン先を露出させるだけの簡単な機構である。この操作は片手で行うことができる。筆記用具には類似の操作をするものが見当たらないが、他の小形の携帯具では喫煙具であるライターのふたをあける動作に似ている。この動作をマーカーの使用に導入し操作の簡便化を計るのが「請求項３」に係る器具における主眼とするところである。回転式であるので、ペン先を露出させた使用時にもキャップが器具から離脱することがない。
図９の器具では非使用時にはキャップ中受口５２に回転キャップ５０がはまる状態になって固定され、使用時にはキャップ止ツメ５３が回転キャップ５０を開き切った状態で固定する。図１０の器具では回転キャップ５０とホルダー本体の間に回転制御バネ５５を設ける。該バネのホルダー本体側の端が図のように回転中心たるキャップ回転軸５１から多少離れているので、回転キャップの回転角度によってバネ長さが変化して、上図と下図の状態で短くなり、中図の位置のあたりで引き伸ばされる。上図と下図の位置でバネを自然長より多少引き伸ばした状態にしておけば、これらの位置で回転キャップ５０の状態が安定化され、使用に十分な程度に固定される。即ち回転の途中で手を離すと、回転角が小さいと回転キャップ５０は閉じた状態に戻り、ある角度を越えると更に回転して開き切った状態になる。図１０では図９のキャップ止ツメ５３はなく、またキャップ中受口５２はなくてもよい。キャップを取り去って使用する通常のマーカーの情況と異なり、図９及び図１０の器具では、回転キャップ５０をホルダー２に着けたまま使用することになり、この部分が出っ張りになって多少筆記動作の妨げになる懸念はあるが、もともとマーカーは太く大きな字を書く用途向けで、繊細で細かな宇を書く場合が少ないので実用上は支障がないといえる。デザインの工夫により回転キャップの形状や大きさを更に調整し、書きやすさの向上を計ることは可能である。
【００１６】
【実施例】
次に各方式について前項で取り上げた順に従い更に詳述する。
「請求項１」に係る図４に示す器具は中押筒４０を設けることを大きな特徴とする。前述のごとくこの２例の見取り図を図５に示す。左図はその作用の様態が分かり易い典型的な形状であるが、円筒状の出入口挿入部４４の外径はペン先出入口２５の径より小さく、円すい台状の位置制御部４５の底面の周辺部に相当するその端の外径はホルダー内径よりわずかに小さくする必要がある。出入口挿入部４４の長さは、これに対応する距離分の移動によって開閉ふた２２を押し開くのでこの観点から規定される。中押筒４０はホルダー内をホルダーの長さ方向即ち中心軸方向に平行に移動しその機能を果たす。図５の右図は中押筒４０の別の１例で、位置制御部４５を３本足の骨格のみにして簡素化している。これでもこれら３本足の先端をホルダー内壁に接触させることにより、平行移動が可能である。また出入口挿入部４４の先端を斜めにしてあるが、これはマーカーを押し出すときに最初に接触する突き出ている側を開閉ふた回転軸２３から遠い位置に置くことにより、開閉ふた２２を押し開き始めるときの抵抗を少なくするためのものである。このときは移動の過程でホルダーの中心軸の回りに中押筒４０が無制御に回転してしまうと不都合であるので、ホルダーの長さ方向に前記３本足のための溝を設けるとか、ペン先出入口２５及び出入口挿入部４４の中心軸に垂直な断面の形状を円以外のものにするとよい。
【００１７】
補助バネ４１の機能は、非使用時に中押筒４０をわずかでも開閉ふた２２から引き離して、開閉ふた２２が隔壁基板２４に密着して閉じるのに支障をあたえないことである。中押筒が開閉ふたを押し開くのに必要な距離だけの比較的小さな伸縮の変化幅をもてばよいので、コイルバネでなく板バネのようなものでもよい。乾電池をケース内に電極を兼ねて支えるときに用いるような板バネを、バネの力を弱くして隔壁基板２４の後方側の端の面上に設けるのである。板バネのときは対称性から複数設けた方が動作が安定する。
開閉ふた２２を閉じる力が十分に大きければそれのみでもマーカーを後方に押し戻す事ができ、非使用時の密着状態を得るのに支障はないが、ダブルノック式の機構を安定した状態で機能させるには、マーカーおよびこれと連なるスライド回転子２７及びノブ３０が常時後方に向く力を受けている方がよいので、この点からは補助バネ４１が必要になる。補助バネがないと非使用時にマーカー等の位置に遊びが生じホルダーを動かすとこれらが内部でずれて移動し不安定になる。しかし本発明が目的とするマーカーの使用時と非使用時の切替えは補助バネ４１無しでも一応達成でき、これによる器具の性能向上は相対的な効果であるので、補助バネ４１は発明構成の必須の要件では無い。
【００１８】
図１２に別のノック式の機構を表す断面図を示す。この機構もボールペン等に利用される周知のものである。ペン先を出すときにはノブ３０を押すが、戻すときはボッチ６０を押す。ダブルノック式に代えてこの機構を利用してもよい。上図が非使用時、下図が使用時のものでそれぞれ図３の上図、下図に対応するが、図は右側のみ記載している。左側は図４のものと同一であるので省略している。図中切断面上にない部位は点線で表している。この場合ノブ３０は中空円筒で、円筒の側壁の一部が欠落しておりそこを貫いてコの字型バネ６１が設置されている。その一端に押止ツメ６２があり、ノブを押していくとこのツメがノブの円筒の壁面に設けられているツメ止穴６３に落込み引っ掛かってマーカーが戻るのを妨げ、使用時の状態が維持できる。ボッチ６０を押すと押止ツメ６２が下がってツメ止穴６３より外れ主コイルバネ２６の復元力により上図の状態に戻る。
【００１９】
次に開閉ふた２２及び隔壁基板２４の例を図１３の断面図で示す。左図は標準的なもので開閉ふた２２は平板状で開閉ふた回転軸２３の回りに回転するようになっており、更にねじりバネ６４を開閉ふた２２と隔壁基板２４の間に架橋することにより、外力のない状態では閉じるようになっている。開閉ふたの回転角が小さい範囲で使用できる場合には後述する図１０に係る器具の回転キャップ５０を制御する機構も利用できる。ペン先出入口２５の周辺の隔壁基板の部位で開閉ふた２２と接触する箇所には、閉鎖時の密封性を高めるためにパッキング６５が介在する。パッキングの装着は隔壁基板側でも開閉ふた側でもあるいは両方でもよい。両者の材質や接触面の加工精度によっては無くても実用上十分な効果をもつものも製作可能である。
このパッキング材として通常天然あるいは合成のゴムを素材としたものが考えられるが、磁性ゴムを利用すると特に効果が大きく、本出願では「請求項１」及び「請求項２」及び「請求項３」の各器具において、これらの非使用時の密封性を高めるために「請求項１及び「請求項２」の開閉ふた２２、「請求項３」の回転キャップ５０に磁性ゴムを使用した器具を特許請求の範囲の欄における請求項の一つとする。磁性ゴムあるいはこれを軟ゴムで被覆したものをパッキング材として用いるのである。磁性ゴムの代表的な利用例としては冷蔵庫の扉の周囲への使用がある。磁性粒子をゴムの樹脂基盤に混入させたもので形状を自由に制御でき本発明の器具に使用する薄く小さなものも成型可能である。磁性ゴムの使用により開閉ふた２２を隔壁基板２４に押し付ける力が均質になり閉じたときの密封性を極めて高くすることが可能になる。密封性を高める以外に、開閉ふた２２を押し開く際の開き始めに必要とする力を大きくし後はこれを緩和するので、作用の円滑化にも寄与する。当然のことながら磁性ゴムを利用するときは一方の材質は鉄板等の磁性体である。両方に極性が異なり互いに引き合う磁性ゴムを用いてもよい。加工上の問題から開閉ふた２２あるいは隔壁基板２４全体に磁性ゴムを使用しても支障はない。ただし開閉ふた２２は中押筒４０がこれに接触し滑りながら押し開くので、接触する部分の表面は滑りやすくする配慮が必要である。
図１３の中図は開閉ふた２２に角度をもたせ斜めの位置から開閉させるようにしたもので小さな回転角度で機能させる事ができる。右図は開閉ふた２２を半球状にしたもので非使用時のペン先１１や中押筒４０の位置をより前方におくことができマーカーの並進距離を短くすることができる。また開閉ふたを開閉させるのに必ずしも回転のための軸受けを構成してねじりバネを架橋する必要はない。プラスチック素材でポリプロピレン、ポリエチレン等折り曲げを繰り返しても破断せず一定の復元力を持つものがあるのでこのようなものを利用すれば安価に製造できる。一方これらの例は開閉ふたが総て単数であるが、２つの扉を構成するいわゆる観音開きの形にしてもよい。但しこの場合には閉じたときに扉と扉の間の接触面ができるが、この部分の密封性が多少劣る恐れがある。
図６に係る器具の場合も開閉ふた周辺の構造は裏面突起４２の存在を除けば図４の器具に準ずる。図１３の各図の構成に適当な裏面突起を付加すれば図６に係る器具にも利用可能である。図１３の右図の構造は、図４の器具の場合くぼみの程度によっては開閉ふたの回転の途中で中押筒に引っ掛かってしまう恐れがあり適用が限られるが、図６の器具では適用可能なマーカーのペン先を大きくできる利点がある。
【００２０】
非使用時におけるマーカー１の気密性を決定する第１の要所は前述の開閉ふた２２と隔壁基板２４の接触面であるが、他にホルダー内部と外気が通ずるおそれのある箇所としては、ノック式機構を可能にするノブ３０とホルダー２の外容器との間のスライド面、マーカーの着脱に際して図３及び図４の器具ではホルダー前部３１とホルダー後部３２を分離するようになっているが、その接合部分たるホルダー接合部３３がある。これらに関する方策の１つとしては、ホルダーの寸法が適切で内壁の加工精度が高くマーカー胴部１４がホルダーの内壁に密着していれば、この間を経ての気体の流通を押さえることで同時に解決することができる。しかしながらマーカーはホルダーに対してスライドするので固着させるわけにはいかず限界がある。そこで気密性を更に高めるには前述の２箇所を個別に処置する事になるが、まずホルダー接合部３３に関してはネジ込式等気密性を高める手段は多くあり全く問題がない。ノブ３０の処置は寸法及び加工の精度を上げて対応するホルダーの外容器とのスライド接触面を密にしすき間のないようにする。これに加えて、ノブの前端の径を少し大きくして出っぱらし、ノブが非使用時の位置にあるときにホルダーの外容器とノブの対面する接触面ができるようにしてここに適切なパッキングを設ければ気密性はほぼ完全なものになる。
【００２１】
寸法例としてペン先１１の長さ５ｍｍ、ペン先支持軸１２の外径７ｍｍ、マーカー胴部１４の外径１８ｍｍのマーカーを考えると、これに対応してホルダー側は、中押筒４０を金属製の薄手のものにして、ペン先出入口２５の径８ｍｍ、開閉ふた２２を径１０ｍｍの円盤に取ることができる。このとき使用時にペン先がホルダー先端口２１の外に出るためには、ホルダー先端口から隔壁基板２４までの距離を開閉ふたの径と同じく１０ｍｍ、該基板の厚さを１ｍｍ、該基板から非使用時におけるペン先までの距離１ｍｍとして、マーカー移動距離１７ｍｍとなる。これを可能にするペン先支持軸１２の長さ１２ｍｍ、中間くびれ１３の長さ１０ｍｍ、主コイルバネは自然長２０ｍｍ余り圧縮時約１０ｍｍ、ホルダーの外径は肉厚１ｍｍとして２０ｍｍとなる。このような寸法のマーカーは多少首長の感じを与え必ずしも標準的な製品ではないが一応市販されているものの範囲に収まる。マーカーとしての筆記性能が妨げられることもない。ホルダーに合わせて独自の寸法規格のマーカーを製品とすることも可能である。更に製品としてのホルダーが定着すれば、その中に収納するマーカーは必ずしも独立した筆記器具として使用する必要がなくなり、万年筆のカートリッジやボールペンの替えしんに対応するものを製品化することも可能である。ホルダーも上記寸法で実用に支障がない。上記寸法に該当するコイルバネを用意することも十分可能である。図４では主コイルバネ２６の一端を中間くびれ１３とマーカー胴部１４の境目にしているが、ホルダー径を多少大きくすれば主コイルバネの一端をマーカー胴部の更に後方とすることができ、そのときには主コイルバネや中間くびれの長さに対する条件は大きく緩和される。
【００２２】
次に「請求項２」に係る図６に示す器具について述べる。この器具では開閉ふた２２の回転角が図３や図４の器具に比較して大きくなるため、この動きの邪魔にならぬようにホルダー先端口２１の形状を多少考慮する必要があり、該先端口の図６における形状は図３及び図４のものと多少異なっている。図１４に図６に相応するホルダー全体の見取図を２例示す。図３及び図４の器具ではホルダー全体の外観は単純な回転体であるが、図６に係る器具ではホルダー先端口の形状が円でなくなり、図１４の左図のようにホルダー全体か右図のように先端口の周囲のみ回転体より離れた形状をとる。いずれの場合も筆記動作の妨げにならない程度にとどめることは可能である。ホルダーの外径を大きくしてホルダー先端口２１と隔壁基板２４の間の空間を大きくとれば、図３及び図４の場合と同じく回転体のままでも設計可能である。他に裏面突起４２が図７のように細長の板状の場合にこれを金属板等弾性のある材質にし、開閉ふた２２が図４の下図程度回転した後は裏面突起４２が弾性変形してペン先１１やペン先支持軸１２が通る道を空けるような構成でも回転体の設計が可能である。
ホルダーのその他の部分や収めるマーカーの大きさ、形状に関しては前述の図４に係る器具に準ずる。
【００２３】
図６の器具では、ホルダー側に開閉ふた２２の裏の裏面突起４２、マーカー側にはペン先支持軸１２のペン先に近い位置に側部突起４３を設けることを特徴とする。しかしながら、本出願の時点において市販されているマーカーにはこの側部突起が付けられていない。将来この「請求項２」に係るホルダーに装着することを想定したマーカーがこの側部突起を具備した形で製品として製造されることはありうるが、具備していないマーカーに対してはこのホルダーが機能しない。そこで具備しない通常の図１及び図２に示すようなマーカーに対しては、図１５に見取図で示すような突起付補助筒６６を用意し、マーカーのペン先支持軸１２にはめ込んで使用する。図１５の器具はペン先支持軸１２に相応する内径を持つ中空円筒で、側面に側部突起４３を設けてあり、これを通常のマーカーに取り付けることにより、マーカーの外形を図８に示すような形にすることができる。
側部突起４３を持たない通常のマーカーに適用する他の方法を図１６の断面図に示す。図１５の突起付補助筒６６を多少変形拡張して、側部突起４３のない側の径をホルダーの内径にまで拡大し、これを支えとしてホルダー内を並進移動できる形にしてホルダー側の内部構造の一部としてしまいマーカー保持筒６７とする。マーカーをこのマーカー保持筒６７に取り付けることによりホルダーに装着する。これで図６と同じ情況を作りホルダーを機能させることが可能になる。また図１６に示す構成は、マーカー保持筒６７より側部突起４３を除去し代わりに中押筒４０を加える等すれば、図４の方式を直接には形状の合わないマーカーに適用する器具としても利用できる。サインペンのように図１及び図２に示す形状から多少離れ、ペン先支持軸１２とマーカー胴部１４の区別が明りょうではなく全体に寸胴な細いマーカーに対してでも、あまり長くない場合にはこれをマーカー保持筒６７に取り付けることにより適用可能である。
【００２４】
図６の器具を作用させるには、非使用状態から使用状態に向けてマーカーを前方に押し出していく際、裏面突起４２と側部突起４３が接触を開始した後は常時この接触を保っていなければならない。側部突起４３が裏面突起４２を押しこの力を開閉ふた２２に伝えて該ふたを押し開く。図１７にこの過程の様態の１例を、該両突起の相互の接触状態を表す一連の図を上から順に示すことにより詳細に記載する。図１７は図６と同一の視方向からその一部を投影した図になるが、図中マーカーのペン先は点線で裏面突起４２と側部突起４３は平行斜線を施さずに実線で表す。この時の裏面突起４２を伴った開閉ふた２２の外観図を図１８に示す。図１８の３図の関係は図７と同じである。
裏面突起４２では側部突起４３と接触する突起接面７０の形状が作用の性質を大きく決定する。図１７では作用の様態の理解の簡便を計って、該接面の形状が図１８の左下図の視方向で直線となる場合を取上げ例示するが、円弧などの曲線でも例えばペン先出入口２５の径よりわずかに小さな直径をもち開閉ふた２２の真中を中心とする円弧のように作用を可能とする場合がある。側部突起４３に関しては円弧で表した側部突起頭部７１と直線の側部突起側部７２よりなる形状が例示してある。これも作用の様態の理解を計って大き目に表している。側部突起側部７２は開閉ふた２２が十分押し開かれた後ペン先を更に前方に押し進める必要があるときのためのもので、開閉ふたが十分開いた段階で既にペン先が筆記に必要な分だけ外に露出していれば不要で、このときは側部突起全体の形は単純な円にでもすればよい。。
作用が生じる条件を考察するために、図１７の形状から多少離れ極限の場合として側部突起頭部７１の円弧の半径を無限小で点で表されるときを例に取れば、この点をＰ、直線となる場合も含めて突起接面７０の形状を表す曲線をＣとすると、点Ｐと曲線Ｃとの接点で力が伝わる。開閉ふた回転軸２３の中心を点Ｏとして単純化のために摩擦力を無視すると、該接点における曲線Ｃの法線方向に力が伝わるので、該法線が開閉ふた２２の一部かあるいはこれの点Ｏと反対方向の延長と交われば、開閉ふた２２を点Ｏの回りに回転させるモーメントが存在することになり、マーカーの前進に伴い開閉ふた２２が押し開かれる。更にこの前進の途中、点Ｏから線分ＯＰに等しい距離にある曲線Ｃ上の点が点Ｐとの接点になるので、その曲線Ｃ上の点が対応する点Ｐのホルダー内の位置に一致するように開閉ふた２２が回転していき、点Ｐは曲線Ｃ上を移動していく。両突起の接触開始時から開閉ふた２２がペン先１１の通過に必要な角度まで回転するまでの間の線分ＯＰの長さの変化の範囲に対応して、曲線Ｃが点Ｏからその距離の範囲にある部分の法線が上記の条件を満たす曲線であれば、開閉ふた２２の回転がマーカーの前進により妨げられることなく図６の器具は作用する。
図１７の場合のように側部突起頭部７１が点ではなく側部突起４３に２次元的広がりのあるときは回転の様子が多少異なり一般化は困難であるが、両突起の接点における曲線Ｃの法線方向に力が伝わることに変わりはなく該法線に必要な条件も同じである。図１７の例ではマーカーの前進に件う各局面においてこの条件が満たされている。マーカーの各位置において、曲線Ｃ上の各点の器具の長さ方向を基準とするこう配は開閉ふた２２の回転角によって変化するが、曲線Ｃと側部突起側の曲線とで点Ｏからの距離が等しくかつこう配が一致する点が存在すればこれが接点となり、これに対応して開閉ふた２２が回転していく。側部突起頭部７１の形状としては種々のこう配が取れるように比較的径の小さい円弧にしておけば曲線Ｃの大方の形状に対応可能で製作上も簡便である。裏面突起４２の突起接面７０と側部突起４３の相互の形状、大きさの組合わせにより、許容されるペン先の大きさ、開閉ふたの回転角度、マーカーを押し出すのに必要な力等が決定される。例えば効率良く力を伝えるために歯車に用いられる曲線などを考慮してもよい。どの事項を優先させるかによって該両突起の形状、大きさを決定することになるが、図１７に示す例のみならず図６の器具の作用を可能にする大きさ、形状の組合わせは確かに存在する。
【００２５】
図１９にその断面図を示すのは図６の器具と同一の作用をする他の１例で、図６のホルダー前部３１に相当する部位を始めとする前半部分を残し、ホルダーの後半部分を除去して簡素化を計っている。マーカー胴部１４を図２のものより多少長目に描いているが、マーカー底端７３をノブ３０の代わりにしてペン先を押し出す。図１９の上図が非使用状態、下図が使用状態を表している。図６のダブルノック機構がないので、止ツメ７４を用意しこれをマーカー底端７３にかけて使用する。使用状態を維持するのに必要な方法はこれ以外にも多く存在する。
【００２６】
図２０に示すのも図６の器具と同一の作用をする他の１例で、簡素化を計ってジャバラ７６を使用している。ジャバラはポリプロピレン等の安価なプラスチック製のものが出回っている。このジャバラがホルダーに該当する器具の大半を占める。マーカーをホルダーに収納するというよりも、マーカーに特殊なキャップを取り付けるという感じである。ジャバラの一端をマーカー側に、他の一端を開閉ふた２２を備えた隔壁基板２４側に固着させる。ジャバラの両端につばあるいはひさしを設けてジャバラ前つば７５とジャバラ後つば７７となし、両者の間に手をかけるか、ジャバラ後つば７７とマーカー底端７３を利用し、注射器を操作するような手つきでジャバラを押し縮めペン先１１を押し出す。上図に非使用状態、下図にペン先を押し出した後の使用状態を示す。使用状態は止ツメ７４を止ツメ受穴７８にかけて維持し、使用後に外して上図の状態に戻す。ジャバラには復元力があるので、図６の主コイルバネ２６に代わる働きをする。
【００２７】
最後に「請求項３」に係る図９及び図１０に示す器具について述べる。
これらは回転キャップ５０の着脱により非使用状態と使用状態の切り替えをするだけの簡単な構造で、図４及び図６の器具に比較して使用できるマーカーの形状が大きく緩和され適用範囲が広い。回転キャップの材質は通常回転により形状、大きさの変化しない剛直性のあるものにするが、前述のジャバラを利用したような特殊なものも設計可能である。即ち回転キャップ５０を図９の上図における長さ方向に押し縮めることが可能なジャバラ状とし、使用状態の回転し切った段階で押し縮めて該キャップの占有体積を減少させ出っ張る部分を少なくして筆記性能の向上を計ってもよい。
回転運動の両端の状態で回転キャップ５０を固定することが要件として必要である。図９ではキャップ中受口５２やキャップ止ツメ５３によって、図１０では回転制御バネ５５によってこれを果たしている。非使用状態で磁性ゴムを利用可能なことは図４や図６の器具と同様であるが、図９の器具では使用状態の固定にも磁石が利用可能である。図１０では図中にキャップ中受口５２が記載してあるが、これはなくともよい。長期間使用しない場合には、マーカーをホルダーより外し通常のはめ込み式のキャップを被せておく方が密封性が高いと思われるが、面倒で忘れやすい。これに対する一つの方策は、ホルダーに付けたまま回転キャップを開き切りペン先を露出させた状態にして、図２のマーカーキャップ小形１６のタイプのものをペン先に被せておくことである。今一つの方策は、図１０に係る器具にもこの図のようにキャップ中受口５２を設けて、長期の非使用時には回転キャップ５０をこれに押し込んで固く閉じ、断続的に使用するときには回転キャップをこれより外して半開きの状態で使用する。短期の非使用状態であればバネや磁石の押し付ける力によっても十分な密封性を維持できる。図１０のキャップ中受口５２はこのことを考慮して記載したものであるが、回転制御バネ５５による作用を理解する観点からは無い方が分かりやすい。該バネを強力にし磁性ゴムを併用すればこれだけでも長期の非使用状態に耐えられる十分な気密性が得られると思われる。回転キャップ５０を開くときにこれに直接力を加えることができるので、操作に多少強い力を必要としても十分実用に供する。
【００２８】
図２１に図１０と同じく弾性力を利用して回転の両極端を固定する別の１例を示す。上図が非使用状態、下図が使用状態、中図が回転途中の中間の状態を示し、回転キャップ５０の周囲のみを記載している。この例では板バネ固定板８１によってホルダーの本体側に取り付けられた板バネ８０を利用する。これと接触する状態を保ちながら板バネ制御子８２が軸中心棒８３に取り付けられ、回転キャップ５０の回転に伴いこれと共に動く。板バネ制御子８２は回転キャップ５０の回転中心を中心とする円形ではなく、偏心した曲面を構成し、該回転中心から板バネまでの距離を回転角によって変える働きをし、上図と下図の位置では板バネの圧迫度を低くして状態の安定性を高め、中間状態では逆に板バネを強く押して、上図か下図のどちらかの状態に行きやすくしている。この条件が満たされさえすれば、他の位置に板バネを取り付けたり板バネ制御子の形状を別のものに変えてもよい。作用の様態は図１０の場合と同じである。
【００２９】
図２２に図１０と同様の別の１例を示す。この例の方が図２１のものより機構的に図１０の器具に近い。図１０の回転制御バネ５５に代えて直角あるいは鋭角に折れた状態が自然状態である折板バネ８４を用いる。２箇所の板バネ端８５は自由に折れ曲がることができる材質とし、これが図１０の回転制御バネ５５の両端と同じ立場にある。即ち回転キャップ５０の回転角によってその間の距離が異なり、図１０では回転に伴いコイルバネの回転制御バネ５５が伸縮するのに対して図２２では折板バネ８４の角度が変わり、折板バネの自然状態の角度に戻ろうとする復元力によって、共に回転キャップ５０の閉じた状態と開き切った状態が安定するようになっている。図２２の機構は化粧品や日用薬品を入れるプラスチック容器のふたに広く利用されている周知のもので、折板バネ８４もプラスチック製で安価なものが作成可能である。
これらの他にも、回転の両極端の状態が安定で、回転の程度がそれらの中間の状態であるときにそれらのうちのどちらかに移行させようと機能する周知の機構は多く存在する。
【００３０】
図２３に示すホルダーは図６と図９のそれぞれの機構の特徴を組合わせたもので、操作は回転式で「請求項３］に係り、図６の開閉ふた２２を前方に拡大して開閉ふた操作突起９０となし、これに外力を加えて作用させる。該突起の回転に伴いマーカーがホルダーに対して並進移動し、図６と同様裏面突起４２と側部突起４３が接触を保ちながらペん先１１が前方に移動して露出する。この場合図６の主コイルバネ２６に代わる逆コイルバネ９２は、ホルダーとマーカーの間の図の位置に置かれるだけではなくその両端がそれぞれに固着され、使用時が自然長よりわずかに伸びた状態で、非使用時ではそこから更に引き伸ばされた状態にある。逆コイルバネ９２の復元力によりマーカーが押し出される構成になっている。
非使用状態に戻すときは、裏面突起４２でマーカーを逆コイルバネに逆らって押し戻すことになり、裏面突起４２が図１７の側部突起側部７２に接触している状態であれば力が伝わらないので、該側部がなくても作用する構成に限定される。開閉ふた操作突起９０を閉じる働きをするバネを設けるときは、このバネの方が逆コイルバネ９２よりも強くなければならない。キャップを回転させることだけではなくペン先側も前方に移動させることにより、使用時にキャップの各部位がペン先よりも後方に位置するようにしている。図９、図１０の回転式の操作や気密性の高さを維持するが、回転キャップ５０を設けることによって生じる使用時のホルダーの出っ張りを小さくすることができる。
【００３１】
図２４に示すのは「請求項５」に係る器具の１例で、「請求項１」あるいは「請求項２」あるいは「請求項３」あるいは「請求項４」に係るホルダーに、マーカーを取り付けた状態でこれを一体化し独立した製品とするものである。マーカーのインクが切れれば使捨てになるので通常はコスト面で不利であるが、全体が安価に製造できれば商品として成立する。特に「請求項３」に係る器具の場合には低コストが達成できる可能性のあるものが有り、図２４はこれを取り上げ図２２に示す機構を取り込んだ例を示している。前述のごとくこれはプラスチック製の容器等で広く普及しており、容器のふたを回転キャップに、容器本体をマーカーに置き換えたような状態であるので安価な製造が見込まれる。別個に製造された定まった形状のマーカーを利用するわけではないので、使用時の回転キャップの出っ張りを滅らすためにマーカー本体のそこに対応する箇所をへこませる等の形状設計も可能である。
【発明の効果】
本発明にかかるホルダーはマーカーのキャップの着脱に対応する非使用状態と使用状態の切り替えを片手で可能にし、マーカーの機能性を高め、事務能率の向上に寄与する。
【図面の簡単な説明】
【図１】本発明が標準的な適用対象とするマーカーの立面図と側面図
【図２】図１に示すマーカーの断面図。
【図３】本発明に係る器具の原型となるホルダーの作用を示す断面図
【図４】本発明の「請求項１」に係る器具の１例の作用の様態を示す断面図。
【図５】図４に示す器具の部位の一つである中押筒４０の見取図。
【図６】本発明の「請求項２」に係る器具の１例の作用の様態を示す断面図。
【図７】図６に示す器具の部位の一つである裏面突起４２を伴う開閉ふた２２の外観図。
【図８】図６に示すホルダーに装着するマーカーの外観図。
【図９】本発明の「請求項３」に係る器具の１例の作用の様態を示す断面図。
【図１０】本発明の「請求項４」に係る器具の別の１例の作用の様態を示す断面図。
【図１１】図１０に示す器具の外観図。
【図１２】ノック式の機構の実施例の一つを示す断面図。
【図１３】図４に示す器具の部位の一つである開閉ふた２２の実施例を示す断面図。
【図１４】図６に示すホルダーの外観の見取図。
【図１５】図６に示すホルダーの補助部品の一つの外観を示す見取図。
【図１６】図６に示すホルダーの実施例の一つを示す断面図。
【図１７】図６に示す器具の作用の様態の詳細を示す図。
【図１８】図１７に示される部位の一つである裏面突起４２を伴う開閉ふた２２の外観図。
【図１９】図６に示す器具の実施例の一つを示す断面図。
【図２０】図６に示す器具の実施例の一つを示す断面図。
【図２１】図１０の器具の実施例の一つの作用と様態を示す断面図。
【図２２】図１０の器具の実施例と一つの作用の様態を示す断面図。
【図２３】図６と図９の器具の機構を組合わせたホルダーの作用の様態を示す断面図。
【図２４】本発明の「請求項５」に係るマーカーの実施例の１つを示す断面図。
【符号の説明】
１  マーカー、    ２  ホルダー、    １１  ペン先、
１２  ペン先支持軸、    １３  中間くびれ、    １４  マーカー胴部、
１５  マーカーキャップ大型、    １６  マーカーキャップ小形、
２１  ホルダー先端口、    ２２  開閉ふた、    ２３  開閉ふた回転軸、
２４  隔壁基盤、    ２５  ペン先出入口、    ２６  主コイルバネ、
２７  スライド回転子、    ２８  溝付固定子、    ３０  ノブ、
３１  ホルダー前部、    ３２  ホルダー後部、    ３３  ホルダー接合部、
４０  中押筒、    ４１  補助バネ、    ４２  裏面突起、
４３  側部突起、    ４４  出入口挿入部、    ４５  位置制御部、
５０  回転キャップ、    ５１  キャップ回転軸、    ５２  キャップ中受口、
５３  キャップ止ツメ、    ５４  キャップ上端部、    ５５  回転制御バネ、
６０  ポッチ、    ６１  コの宇型バネ、    ６２  押止ツメ、
６３  ツメ止穴、    ６４  ねじりバネ、    ６５  パッキング、
６６  突起付補助筒、    ６７  マーカー保持筒、    ７０  突起接面、
７１  側部突起頭部、    ７２  側部突起側部、    ７３  マーカー底端、
７４  止ツメ、    ７５  ジャバラ前ツバ、    ７６  ジャバラ、
７７  ジャバラ後ツバ、    ７８  止ツメ受穴、    ８０  制御板バネ、
８１  板バネ固定板、    ８２  板バネ制御子、    ８３  軸中心棒、
８４  折板バネ、    ８５  折板バネ端、    ９０  開閉ふた操作突起、
９１  操作突起止めツメ、    ９２  逆コイルバネ、
【図１】
0003793929.tif 000002
【図２】
0003793929.tif 000003
【図３】
0003793929.tif 000004
【図４】
0003793929.tif 000005
【図５】
0003793929.tif 000006
【図６】
0003793929.tif 000007
【図７】
0003793929.tif 000008
【図８】
0003793929.tif 000009
【図９】
0003793929.tif 000010
【図１０】
0003793929.tif 000011
【図１１】
0003793929.tif 000012
【図１２】
0003793929.tif 000013
【図１３】
0003793929.tif 000014
【図１４】
0003793929.tif 000015
【図１５】
0003793929.tif 000016
【図１６】
0003793929.tif 000017
【図１７】
0003793929.tif 000018
【図１８】
0003793929.tif 000019
【図１９】
0003793929.tif 000020
【図２０】
0003793929.tif 000021
【図２１】
0003793929.tif 000022
【図２２】
0003793929.tif 000023
【図２３】
0003793929.tif 000024
【図２４】
0003793929.tif 000025